(57)【要約】【課題】簡単な構造でコストダウン化を図ることができ、しかも使用者が任意の角度，任意の位置で良好にシャワーを浴びることのできるシャワー装置を提供する。【解決手段】内部に湯水が通され、任意に曲げることのできる通水路部材７には、シャワー水を噴出し得る噴出部７ａ，７ａが形成されているとともに、通水路部材７には、通水路部材７を任意の角度に曲げて固定できる固定手段４ａ，４ｂが備えられており、この固定手段４ａ，４ｂは、壁面２に固設されたガイド部材３に沿ってスライド移動できるように構成されている。【選択図】                図２
2005013627.tif 000002
【特許請求の範囲】
【請求項１】
内部に湯水が通され、任意に曲げることのできる通水路部材には、シャワー水を噴出し得る噴出部が形成されているとともに、前記通水路部材には、該通水路部材を任意の角度に曲げて固定できる２以上の固定手段が備えられていることを特徴とするシャワー装置。
【請求項２】
前記固定手段が、壁面等に固設されたガイド部材に沿ってスライド移動できるように構成されていることを特徴とする請求項１に記載のシャワー装置。
【請求項３】
前記ガイド部材が、前記壁面等に２箇所のみで固定されていることを特徴とする請求項２に記載のシャワー装置。
【発明の詳細な説明】
【０００１】
【発明の属する技術分野】
この発明は、浴室内で全身にシャワーを浴びることのできるシャワー装置に関するものである。
【０００２】
【従来の技術】
従来、浴室内で全身にシャワーを浴びることのできるシャワー装置として、特許文献１及び特許文献２に開示されているようなものが存在する。
【０００３】
【特許文献１】
特開２００１−１９８０３８号公報
【特許文献２】
特開平１１−２９９６４号公報
【０００４】
【発明が解決しようとする課題】
従来の全身シャワーのノズルは、壁およびアームに固定されており、任意の位置，角度でシャワーを浴びることはできないものであった。
また、ノズル部やホースをアーム等に固定しなければならない等の問題点もあった。
また、シャワー装置を浴室壁面に固定する際に、多くの部品をビス固定しなくてはならず、施工に時間がかかるという問題点があった。
【０００５】
【課題を解決するための手段】
本発明は、上記従来の問題点に鑑み案出したものであって、アーム部を無くすことによって、簡単な構造となりコストダウンを図ることができ、また任意の位置及び角度で良好にシャワーを浴びることができるシャワー装置を提供せんことを目的とし、その第１の要旨は、内部に湯水が通され、任意に曲げることのできる通水路部材には、シャワー水を噴出し得る噴出部が形成されているとともに、前記通水路部材には、該通水路部材を任意の角度に曲げて固定できる２以上の固定手段が備えられていることである。
【０００６】
また、第２の要旨は、前記固定手段が、壁面等に固設されたガイド部材に沿ってスライド移動できるように構成されていることである。
また、第３の要旨は、前記ガイド部材が、前記壁面等に２箇所のみで固定されていることである。
【０００７】
【発明の実施の形態】
以下、本発明の実施例を図面に基づいて説明する。
図１は、浴室の壁面にシャワー装置を設置した状態の斜視構成図であり、浴室の洗い場１側の壁面２には、シャワー装置が取り付けられており、このシャワー装置は、平行に間隔をおいて、それぞれ縦方向に設置された一対のガイド部材３，３と、この一対のガイド部材３，３にそれぞれ取り付けられた通水路部材７，７で構成されており、一対の通水路部材７，７は、平均的な体格の人が入り込める程度の間隔に配置されている。
【０００８】
ガイド部材３は、パイプ状に形成されており、手すりを兼用することができるものであり、その上下端の固定部３ａ，３ｂがそれぞれ壁面２に固設されている。
このガイド部材３には、固定手段４ａ，４ｂが上下にそれぞれ外嵌されており、それぞれの固定手段４ａ，４ｂは、ガイド部材３に沿って上下方向にスライド移動できるように構成されている。
【０００９】
なお、この固定手段４ａ，４ｂは、外周を手で握って押圧すると、内部のバネが開き、これにより良好にガイド部材３に沿ってスライド移動させることができ、手を放すと、内部のバネ部材により閉じられて、任意の位置でガイド部材３に固定状となるように構成されている。
【００１０】
上下の固定手段４ａ，４ｂには、それぞれ略水平に突出して突出片５が設けられており、突出片５の先端には取付部６がそれぞれ設けられている。
この上下の取付部６，６間に、縦方向に通水路部材７が設けられており、通水路部材７の上下端は、それぞれ上下の前記取付部６，６に取付固定されている。
通水路部材７には、複数の噴出部７ａ，７ａ，７ａが開口されており、それぞれの噴出部７ａ，７ａ，７ａからシャワー水を噴出させることができるように構成されている。なお、この各噴出部７ａにノズルを設けて構成しても良い。
【００１１】
なお、通水路部材７は全体が樹脂等の可撓性素材で形成され、その内部には湯水を通すことのできる通水路が形成されて、任意に曲げることができるように構成されている。
なお、この通水路部材７に、所定間隔で自由に曲げることのできる関節部を設けて、関節部を介し全体を任意に曲げることができるように構成しても良い。
この通水路部材７の下端の取付部６には、水栓金具からの給水管８が連結されており、水栓金具から給水管８を通して、通水路部材７内に湯水が供給されるものである。
【００１２】
このような構成において、上下の固定手段４ａ，４ｂをそれぞれ手で握り、ガイド部材３に沿ってスライド移動させ、任意の位置で手を放し固定すると、通水路部材７は、図２に示すように、任意の角度で曲げられることとなり、洗い場１で座った状態、または立った状態に合わせて、任意に通水路部材７の曲がり状態を変更させ、噴出部７ａ，７ａ，７ａから噴出されるシャワー水の噴射角度を変更させて、全身に良好にシャワーを浴びることができるものとなる。
【００１３】
なお、図２では、通水路部材７の外周にスライド移動できるようにＵ字状部材９が設けられており、このＵ字状部材９を通水路部材７に沿って任意の箇所に移動させることで、良好に通水路部材７の曲がり角度を変更させることができるように構成したものである。
【００１４】
なお、Ｕ字状部材９には、手で螺進退させて調節できる止水ネジ１０を設けておき、Ｕ字状部材９を任意の位置に調節した後に、この止水ネジ１０を締め付けて、通水路部材７内の通水路を潰し状にすることにより、Ｕ字状部材９よりも下方側の噴出部７ａ，７ａ，７ａのみからシャワー水を噴出させることができるものとなる。
このようなＵ字状部材９は、通水路部材７の外周に２以上移動可能に設けておくこともできる。
なお、このようなＵ字状部材９を設けなくても、前述した如く、上下の固定手段４ａ，４ｂを移動させて、その間隔を任意に変更させ、通水路部材７の曲がり角度を任意に調整できるものである。
【００１５】
また、本例では、ガイド部材３は、上端および下端の固定部３ａ，３ｂの２箇所のみで壁面２に固設されているため、ガイド部材３の施工が容易であり、シャワー装置全体を容易に浴室内に設置することができるものとなる。
また、ガイド部材３は、手すりや握りバーとしての機能を有することとなり、このガイド部材３を手で握り、体を良好に支えることができるものとなる。
【００１６】
なお、図３では、１本のガイド部材３を横方向に浴室の壁面に取り付けたものであり、このように、ガイド部材３を水平方向に固設して、このガイド部材３に、固定手段４ａ，４ｂを介して通水路部材７を取り付けておいても良く、固定手段４ａ，４ｂをそれぞれガイド部材３に沿って横方向にスライド移動させて、固定手段４ａ，４ｂの間隔を任意に調整することにより、可撓性の通水路部材７の曲がり角度を任意に変更させることができ、使用者の姿勢等に応じて、噴出部７ａから噴出されるシャワーの噴出角度を任意に変更させることができるものとなる。
【００１７】
また、図４は変更例を示すものであり、図４では、ガイド部材３を省略して、通水路部材７の上下端の取付部６，６に、それぞれ吸盤１１ａ，１１ｂを設けたものである。
この吸盤１１ａ，１１ｂを壁面２に着脱させて、通水路部材７を縦方向にしたり、また横方向にしたりすることもでき、また、吸盤１１ａ，１１ｂの間隔を適宜調整して壁面２の任意の位置に吸着固定させ、通水路部材７の曲がり角度を任意に変更させて、噴出部７ａから噴出されるシャワーの噴射角度を任意に調節することができるものとなり、図４では、より簡単な構造となって、コストダウン化を図ることができるものとなる。
【００１８】
【発明の効果】
本発明のシャワー装置は、内部に湯水が通され、任意に曲げることのできる通水路部材には、シャワー水を噴出し得る噴出部が形成されているとともに、通水路部材には、通水路部材を任意の角度に曲げて固定できる２以上の固定手段が備えられていることにより、固定手段の固定位置および間隔を適宜変更させて、通水路部材を任意の曲がり角度に調整することができ、噴出部から噴出されるシャワー水の噴出角度を任意に変更させて、シャワーを良好に浴びることができるものとなる。
また、従来のようなアーム部を無くすことができて、コストダウン化を図ることができるものとなる。
【００１９】
また、固定手段が、壁面等に固設されたガイド部材に沿ってスライド移動できるように構成されていることにより、ガイド部材に沿って固定手段を移動させて、間隔等を良好に調整することができ、通水路部材の角度等の変更が容易となり、使用勝手が向上するものとなる。
【００２０】
また、ガイド部材が、壁面等に２箇所のみで固定されていることにより、ガイド部材の浴室内への施工が容易であり、またガイド部材は、手すりや握りバーとしての機能を有することとなり、後付けも容易なものとなる。
【図面の簡単な説明】
【図１】縦方向に一対のガイド部材および通水路部材を設けたシャワー装置の斜視構成図である。
【図２】図１のシャワー装置の使用状態の側面構成図である。
【図３】ガイド部材および通水路部材を横方向に設置した場合の斜視構成図である。
【図４】ガイド部材を省略して、吸盤により固定できるように構成したシャワー装置の斜視構成図である。
【符号の説明】
２    壁面
３    ガイド部材
３ａ，３ｂ    固定部
４ａ，４ｂ    固定手段
５    突出片
６    取付部
７    通水路部材
７ａ    噴出部
８    給水管
９    Ｕ字状部材
１０    止水ネジ
１１ａ，１１ｂ    吸盤
【図１】
2005013627.tif 000003
【図２】
2005013627.tif 000004
【図３】
2005013627.tif 000005
【図４】
2005013627.tif 000006